(57)【要約】【課題】  電子ペンの美的外観を阻害することなく充電端子を設け、電子ペンに搭載された充電式電池の充電を情報処理装置から電力の供給を受けて行えるようにする。【解決手段】ペン形状の筒状の筐体１１の内部には、位置指示信号を送出するための電子部品部１３と、電子部品部１３に駆動電源を供給する充電式電池１４とが搭載されている。充電式電池１４には、筐体１１のペン先とは反対側の後端部分から筐体に沿ってペン先側に延伸されたクリップ部１２の筐体に対向する面１２ｂｋに設けられている充電端子１２ａ、１２ｂが接続される。充電端子１２ａ、１２ｂに対応する位置に接続端子を有する情報処理装置から充電用の電力の供給を受けて充電式電池１４を充電する。【選択図】図１
2020135687.tif 000002
【特許請求の範囲】
【請求項１】
ペン形状の筒状の筐体と、
前記筐体内部に設けられ、位置検出装置に対して位置指示信号を送出する機能を実現する電子部品部と、
前記電子部品部に対して駆動電源を供給する充電式電池と、
前記筐体のペン先とは反対側の後端部分から前記筐体に沿ってペン先側に延伸されたクリップ部と、
前記クリップ部の前記筐体に対向する面に設けられ、前記充電式電池に接続された充電端子と
を備えることを特徴とする電子ペン。
【請求項２】
請求項１に記載の電子ペンであって、
前記充電端子は、前記クリップ部の前記筐体に対向する面であって、前記クリップ部のペン先側とは反対側の後端部分に設けられることを特徴とする電子ペン。
【請求項３】
請求項１に記載の電子ペンであって、
前記充電端子は、前記クリップ部の前記筐体に対向する面であって、前記クリップ部のペン先側である先端部分に設けられることを特徴とする電子ペン。
【請求項４】
請求項３に記載の電子ペンであって、
前記充電端子は、前記クリップ部のペン先側である先端部分に前記筐体に向かって形成されている凸部上に設けられることを特徴とする電子ペン。
【請求項５】
ペン形状の筒状の筐体と、前記筐体内部に設けられ、位置検出装置に対して位置指示信号を送出する機能を実現する電子部品部と、前記電子部品部に対して駆動電源を供給する充電式電池と、前記筐体のペン先とは反対側の後端部分から前記筐体に沿ってペン先側に延伸されたクリップ部と、前記クリップ部の前記筐体に対向する面に設けられ、前記充電式電池に接続された充電端子とを備える電子ペンにより指示入力が行われる情報処理装置であって、
前記電子ペンの前記筐体が収納される筐体収納部と、
前記筐体収納部に前記電子ペンの筐体が収納された場合に、前記筐体と前記クリップ部との間に位置する側壁部と、
前記電子ペンの前記クリップ部が対向する前記側壁部の面の前記クリップ部に設けられている前記充電端子に対向する位置に、前記充電端子に接触可能な態様で設けられる端子であって、充電回路に接続された接続端子と
を備えることを特徴とする情報処理装置。
【発明の詳細な説明】
【技術分野】
【０００１】
この発明は、充電式電池が搭載された電子ペンと、この電子ペンが位置指示器として機能する位置検出装置が搭載された情報処理装置とに関する。
【背景技術】
【０００２】
図６（Ａ）は、例えばタブレットＰＣやスマートフォンなどの情報処理装置の外観の例を示している。図６に示した情報処理装置１００は、ＬＣＤ（Liquid Crystal Display）などの薄型の表示装置を備えると共に、その表示画面１０１の全面に対応するように位置検出センサ１０２が設けられており、電子ペンによる指示入力ができるものである。また、情報処理装置１００の下側には筒状の電子ペン格納部１０３が設けられており、右側面下側の開口部１０４から電子ペンの全体を格納することができるようになっている。これにより、情報処理装置１００と共に電子ペンを紛失することがないようにして持ち運ぶことができる。
【０００３】
図６（Ｂ）は、情報処理装置１００に対して指示入力を行う電子ペン２００の概略構成と、情報処理装置１００の電子ペン２００に対する充電機能部とを説明するための図である。電子ペン２００は、位置指示信号の送出機能を実現する電子回路部２０１と、電子回路部２０１に駆動電力を供給する充電式電池２０２を備える。この充電式電池２０２には、電子ペン２００の筐体外側側面に設けられた充電端子２０３ａ、２０３ｂが接続されている。情報処理装置１００の電子ペン格納部１０３の内壁面には、図６（Ａ）に示したように、電子ペン２００が格納されたときに電子ペン２００の充電端子２０３ａ、２０３ｂと対向する位置に接続端子１０９ａ、１０９ｂが設けられている。
【０００４】
情報処理装置１００においては、商用電源の供給を受けた充電回路１０５により、情報処理装置１００のバッテリ１０６が充電される。このバッテリ１０６からのからの電力が、電源回路１０７を通じて充電回路１０８に供給され、ここで電子ペン２００の充電用の電力が形成され、接続端子１０９ａ、１０９ｂに供給される。電子ペン格納部１０３に電子ペン２００が格納されると、電子ペン２００の充電端子２０３ａ、２０３ｂが、情報処理装置１００の接続端子１０９ａ、１０９ｂに接触するようになっており、電子ペン２００の充電式電池２０２が充電される。
【０００５】
例えば、特許文献１、特許文献２には、図６を用いて説明したように、充電式電池が搭載された電子ペンと、この電子ペンの充電式電池に対して充電を行う機能を備えた情報処理装置とに関する発明が開示されている。
【先行技術文献】
【特許文献】
【０００６】
【特許文献１】特開平６−１１０５９５号公報
【特許文献２】特開２０１６−１２６４１２号公報
【発明の概要】
【発明が解決しようとする課題】
【０００７】
上述したように、筐体外側側面に充電端子が設けられている電子ペンの場合には、充電端子が目立ってしまいデザイン的に好ましくなかったり、充電端子に汚れなどが付着するなどして充電に支障を来たしたりする場合があると考えられる。また、電子ペンを電子ペン格納部に適切に格納した場合にのみ、電子ペンの充電端子と情報処理装置の接続端子を接続するようにするためには、上述した特許文献２に開示された発明のように、複雑な接続機構が必要になってしまう。
【０００８】
以上のことに鑑み、この発明は、電子ペンの美的外観を阻害することなく充電端子を設け、電子ペンに搭載された充電式電池の充電を情報処理装置から電力の供給を受けて適切に行えるようにすることを目的とする。
【課題を解決するための手段】
【０００９】
上記課題を解決するため、
ペン形状の筒状の筐体と、
前記筐体内部に設けられ、位置検出装置に対して位置指示信号を送出する機能を実現する電子部品部と、
前記電子部品部に対して駆動電源を供給する充電式電池と、
前記筐体のペン先とは反対側の後端部分から前記筐体に沿ってペン先側に延伸されたクリップ部と、
前記クリップ部の前記筐体に対向する面に設けられ、前記充電式電池に接続された充電端子と
を備える電子ペンを提供する。
【００１０】
この電子ペンによれば、ペン形状の筒状の筐体の内部には、位置指示信号を送出するための電子部品部と、この電子部品部に駆動電源を供給する充電式電池とが搭載されている。また、筐体には後端部分から筐体に沿ってペン先側に延伸されたクリップ部が設けられており、このクリップ部の筐体に対向する面に設けられている充電端子が、筐体内の充電式電池に接続される。充電端子は、クリップ部の筐体に対向する面に設けられるので、使用者の目につくことがなく、電子ペンの見た目（デザイン）に影響しない。また、充電端子は、外側に露出することもないので、使用者が触ったりすることもなく、汚れなどが付着して充電に影響を及ぼすなどの不都合も生じさせない。
【図面の簡単な説明】
【００１１】
【図１】第１の実施の形態の電子ペンの概略構成を説明するための図である。
【図２】第１の実施の形態の電子ペンが格納される第１の実施の形態の情報処理装置の電子ペン格納部について説明するための図である。
【図３】第２の実施の形態の電子ペンのクリップ部の構成を説明するための図である。
【図４】第２の実施の形態の電子ペンが格納される第２の実施の形態の情報処理装置の電子ペン格納部について説明するための図である。
【図５】第２の実施の形態の電子ペンが格納される第２の実施の形態の情報処理装置の電子ペン格納部の他の例について説明するための図である。
【図６】位置検出装置を搭載した情報処理装置と電子ペンの従来例を説明するための図である。
【発明を実施するための形態】
【００１２】
［第１の実施の形態の電子ペンの構成例］
図１は、第１の実施の形態の電子ペン１０の概略構成を説明するための図である。図１（Ａ）に示すように、電子ペン１０は、先端部が先細となったペン形状の筒状の筐体１１を備える。また、電子ペン１０は、筐体１１の先細となったペン先側とは反対側の端部（後端部）から筐体１１からやや離れると共に、筐体１１に沿ってペン先側に延伸されたクリップ部１２を備える。筐体１１の内部には、位置指示信号を送出する機能を実現するための電子回路部１３と、この電子回路部１３に対して駆動電源を供給する充電式電池１４とが搭載されている。
【００１３】
電子ペン１０の場合、充電式電池１４に接続される充電端子１２ａ、１２ｂは、図１（Ａ）に示すように、クリップ部１２の筐体１１に対向する面（裏面）１２ｂｋに設けられる。図１（Ｂ）は、電子ペン１０のクリップ部１２の裏面１２ｂｋ側から見た場合を拡大して示している。図１（Ｂ）に示すように、クリップ部１２の裏面１２ｂｋの後端部側には、例えば金属などの導電体により構成された充電端子１２ａ、１２ｂが設けられている。この例の場合には、充電端子１２ａは、充電式電池１４のプラス端子に接続され、充電端子１２ｂは、充電式電池１４のマイナス端子に接続されている。
【００１４】
また、クリップ部１２の裏面１２ｂｋのペン先側の部分には筐体１１側に突出した凸部１２ｃｖが形成されている。クリップ部１２の凸部１２ｃｖと筐体１１とで、これらの間に位置するものを挟持し、電子ペン１０が勝手に移動することがないようにしている。簡単には、クリップ部１２の凸部１２ｃｖと筐体１１とで、使用者の上着のポケットの全面部分などを挟持して、電子ペン１０が上着のポケットから簡単に離れてしまうことがないようにできる。
【００１５】
そして、クリップ部１２の表面１２ｆｔは、図１（Ａ）に示したように外側に露呈した部分であり、使用者が直接に見ることができると共に、簡単に手や指により触ることができる。これに対して、クリップ部１２の裏面１２ｂｋは、見ようと思って電子ペンの向きなどを調整しないかぎり使用者が直接に見ることができない部分であり、簡単に使用者が手や指により触ることができない部分でもある。
【００１６】
このため、クリップ部１２の裏面１２ｂｋに設けられた充電端子１２ａ、１２ｂは、常時、見える状態にはないので、電子ペン１０のデザインに大きく影響することはなく、電子ペン１０の美的外観を損なわせることがない。また、充電端子１２ａ、１２ｂが外側向かって露出した状態とはならず、使用者の手や指で触れることもないので、充電端子１２ａ、１２ｂに汚れなど付着することが少なく、適切な充電を阻害するなどといった不都合も生じさせることもない。
【００１７】
［第１の実施の形態の情報処理装置の構成例］
以下に説明する第１の実施の形態の情報処理装置２０は、基本的には、図６（Ａ）に示した従来の情報処理装置１００と同様の構成を有し、同様の機能を実現するものである。すなわち、情報処理装置２０は、図６（Ａ）に示した従来の情報処理装置１００と同様の外観を有し、電子ペン格納部を備え、表示装置と位置検出センサとが搭載されて、電子ペン１０による指示入力が可能にされたものである。
【００１８】
しかし、情報処理装置２０と共に用いられる電子ペン１０は、図１を用いて説明したように、クリップ部１２の裏面１２ｂｋに充電端子１２ａ、１２ｂを備える構成を有し、筐体の外側側面に充電端子を備える従来の電子ペンとは異なっている。このため、情報処理装置２０の電子ペン格納部は、電子ペン１０に対応するものとなっている。以下に、第１の実施の形態の情報処理装置２０が備える電子ペン格納部の構成について具体的に説明する。
【００１９】
図２は、第１の実施の形態の電子ペン１０が格納される第１の実施の形態の情報処理装置２０の電子ペン格納部３０について説明するための図である。電子ペン格納部３０は、情報処理装置２０の種々の位置に設けることができる。しかし、ここでは説明を簡単にするため、図６（Ａ）に示した情報処理装置１００の場合と同様に、電子ペン格納部３０が設けられているものとして説明する。すなわち、情報処理装置２０の右側面（図６（Ａ）の面２０ｒ）下側に開口部３１を有し、この開口部３１から情報処理装置２０の内側に向かって筒状に形成された電子ペン格納部３０が設けられているものとする。
【００２０】
図２（Ａ）、（Ｂ）は、情報処理装置２０の右側面２０ｒに対面する方向から、電子ペン格納部３０の開口部３１を見た場合を示している。図２（Ａ）、（Ｂ）において、上面２０ｕは、情報処理装置に搭載された表示装置の表示画面が露呈する面であり、下面２０ｄは表示画面の背面側の面（情報処理装置２０の底面）となる。また、図２（Ａ）、（Ｂ）の左端面が、情報処理装置２０の下側面２０ｆ（図６（Ａ）の面２０ｆ）に対応している。図２（Ａ）に示すように、電子ペン格納部３０の下側面２０ｆの側には、電子ペン格納部３０に電子ペン１０が格納された場合に、電子ペン１０の筐体１１とクリップ部１２とによって挟まれる被挟持板３２が設けられている。
【００２１】
図２（Ｃ）は、情報処理装置２０の下側面２０ｆ側から、電子ペン格納部３０の開口部３１付近を見た場合を示している。図２（Ｃ）において、上側が右側面２０ｒに対応しており、矢印Ａｒが示す方向から右側面２０ｒに設けられた電子ペン格納部３０の開口部３１を通じて、電子ペン１０が電子ペン格納部３０に挿入されて格納される。
【００２２】
図２（Ｃ）に示すように、電子ペン１０のクリップ部１２の裏面１２ｂｋと対向する被挟持板３２の表面３２ａには、クリップ部１２の裏面１２ｂｋに設けられている充電端子１２ａ、１２ｂと対向する位置に、接続端子３３ａ、３３ｂが設けられている。また、電子ペン格納部３０に電子ペン１０が格納された場合に、被挟持板３２の表面３２ａのクリップ部１２のペン先側に形成された凸部１２ｃｖと対向する位置には、凹部３４が設けられている。
【００２３】
図２（Ｂ）に示すように、電子ペン格納部３０に電子ペン１０の全体が格納するようにされたとする。この場合には、電子ペン１０のクリップ部１２の裏面１２ｂｋに設けられた充電端子１２ａ、１２ｂと、情報処理装置２０の被挟持板３２の開口部３１側に設けられた接続端子３３ａ、３３ｂが自動的に接続される。
【００２４】
図２（Ｄ）は、電子ペン格納部３０に電子ペン１０が格納された状態で、情報処理装置２０の電子ペン格納部３０を含む部分を上面２０ｕ側と下面２０ｄ側とに切断するようにし、上面２０ｕ側の断面を見た場合の図である。したがって、図２（Ｄ）の上側の面が下側面２０ｆに対応し、右側の面が右側面２０ｒに対応し、手前側の断面が下面２０ｄ側の断面であり、向こう側の見えない面が上面２０ｕになる。
【００２５】
図２（Ｄ）に示すように、電子ペン格納部３０に電子ペン１０が格納されると、電子ペン１０のクリップ部１２と筐体１１とで、被挟持板３２が挟み込まれる。そして、上述したように、クリップ部１２の裏面１２ｂｋの後端側に設けられた充電端子１２ａ、１２ｂと、この充電端子１２ａ、１２ｂと対向する被挟持板３２の表面３２ａの位置に設けられた接続端子３３ａ、３３ｂとが自動的に接触する。
【００２６】
この第１の実施の形態の情報処理装置２０において、接続端子３３ａ、３３ｂは、クリップ部１２側に突出し、力を加えたり、解除したりすることで、電子ペン１０の軸心方向（長手方向）と交差する方向に押し込んだり、突出させることができる構成を備える。このため、クリップ部１２の筐体１１側に突出した凸部１２ｃｖを有する先端部分が接続端子３３ａ、３３ｂ上を通過するときには、接続端子３３ａ、３３ｂは押し込まれて、クリップ部１２の先端部分を無理なく通過させる。この場合、クリップ部１２が筐体１１とは反対側に若干反ることもできるようになっている。
【００２７】
被挟持板３２上の接続端子３３ａ、３３ｂ上をクリップ部１２の凸部１２ｃｖが通過すると、被挟持板３２の表面３２ａ上に設けられている接続端子３３ａ、３３ｂは押し込まれた状態から復帰し、クリップ部１２側に突出するようになる。これにより、図２（Ｄ）に示すように、クリップ部１２の裏面１２ｂｋに設けられた充電端子１２ａ、１２ｂと接続端子３３ａ、３３ｂとが確実に接触する。
【００２８】
接続端子３３ａ、３３ｂには、図６（Ｂ）を用いて説明した情報処理装置１００の場合と同様に、情報処理装置２０に搭載されている回路によって形成される、電子ペン１０の充電式電池に対する充電用の電力が供給されている。これにより、電子ペン１０を情報処理装置２０の電子ペン格納部３０に格納するだけで、充電端子１２ａ、１２ｂと接続端子３３ａ、３３ｂとを接触させて、情報処理装置２０からの充電用の電力により、電子ペン１０に搭載されている充電式電池１４を充電できる。
【００２９】
また、図２（Ｄ）に示したように、凹部３４が存在することにより、ここに電子ペン格納部３０に格納された電子ペン１０のクリップ部１２の凸部１２ｃｖが嵌合する。これにより、電子ペン１０のクリップ部１２が、情報処理装置２０の下側面２０ｆから必要以上に突出しないようにできる。従って、情報処理装置２０を持ち運ぶ際に、電子ペン格納部３０に格納された電子ペン１０のクリップ部１２が邪魔になるといった不都合を生じさせることがない。
【００３０】
図２（Ｄ）に示したように、情報処理装置２０の電子ペン格納部３０に格納された電子ペン１０を取り出す場合には、電子ペン１０のクリップ部１２の表面１２ｆｔ上を使用者の指などで右側面２０ｒ側に押し出すようにする。これにより、電子ペン格納部３０に格納された電子ペン１０を、電子ペン格納部３０から簡単に取り出すことができる。
【００３１】
［第２の実施の形態の電子ペンの構成例］
以下に説明する第２の実施の形態の電子ペン１０Ａの概略構成及び外観は、図１（Ａ）に示した第１の実施の形態の電子ペン１０と同様のものである。しかし、第２の実施の形態の電子ペン１０Ａの場合には、クリップ部１２Ａに設けられる充電端子の態様が、第１の実施の形態の電子ペン１０の場合とは異なっている。
【００３２】
図３は、第２の実施の形態の電子ペン１０Ａのクリップ部１２Ａを裏面１２Ａｂｋ側から見た場合を拡大して示している。図３に示すように、クリップ部１２Ａ自体の形状は、図１に示した第１の実施の形態の電子ペン１０のクリップ部１２と同じである。図３に示すように、クリップ部１２Ａの裏面１２Ａｂｋには、その後端側からペン先側の凸部１２Ａｃｖの頭頂部を越えた部分にまで延伸された充電端子１２Ａａ、１２Ａｂが設けられている。
【００３３】
充電端子１２Ａａ、１２Ａｂは、例えば金属などの導電体により構成されたものである。この第２の実施の形態の電子ペン１０Ａの場合にも、クリップ部１２の裏面１２Ａｂｋに設けられた、充電端子１２Ａａは充電式電池１４のプラス端子に接続され、充電端子１２Ａｂは充電式電池１４のマイナス端子に接続されている。
【００３４】
第２の実施の形態の電子ペン１０Ａの場合にも、クリップ部１２Ａの裏面１２Ａｂｋに設けられた充電端子１２Ａａ、１２Ａｂは、常時、見える状態にはない。このため、充電端子１２Ａａ、１２Ａｂが、第２の実施の形態の電子ペン１０Ａのデザインに大きく影響することはなく、電子ペン１０Ａの美的外観を損なわせることがない。また、充電端子１２Ａａ、１２Ａｂが外側向かって露呈した状態とはならず、使用者の手や指で触れられることもないので、充電端子１２Ａａ、１２Ａｂに汚れなど付着することが少なく、適切な充電を阻害するなどといった不都合も生じさせることがない。
【００３５】
［第２の実施の形態の情報処理装置の構成例］
第２の実施の形態の情報処理装置２０Ａもまた、第１の実施の形態の情報処理装置２０と同様に、基本的には、図６（Ａ）に示した従来の情報処理装置１００と同様の構成を有し、同様の機能を実現するものである。従って、第２の実施の形態の情報処理装置２０Ａもまた、図６（Ａ）に示した従来の情報処理装置１００と同様の外観を有し、電子ペン格納部を備え、表示装置と位置検出センサとが搭載されて、電子ペン１０Ａによる指示入力が可能にされたものである。
【００３６】
しかし、情報処理装置２０Ａと共に用いられる第２の実施の形態の電子ペン１０Ａは、図３を用いて説明したように、クリップ部１２Ａの裏面１２Ａｂｋに、その後端側から先端側まで引き延ばされた充電端子１２Ａａ、１２ｂＡを備える。このため、情報処理装置２０Ａの電子ペン格納部３０Ａは、電子ペン１０Ａに対応するものとなっている。具体的には、電子ペン格納部３０Ａに電子ペン１０Ａが格納された場合に、電子ペン１０Ａの筐体１１Ａとクリップ部１２Ａとによって挟まれる被挟持板３２Ａの構成が、第１の実施の形態の情報処理装置２０の被挟持板３２とは異なっている。
【００３７】
図４は、情報処理装置２０Ａの下側面２０ｆ側から、電子ペン格納部３０Ａの開口部３１Ａ付近を見た場合を示している。なお、図４は、第１の実施の形態の図２（Ｃ）に対応しており、第２の実施の形態の情報処理装置２０Ａの各面に付された参照符号は、第１の実施の形態の情報処理装置２０の各面に付された参照符号と同じものを用いている。
【００３８】
すなわち、図４において、情報処理装置２０Ａの電子ペン格納部３０Ａの開口部３１Ａが設けられた面が右側面２０ｒであり、情報処理装置２０Ａの表示装置の表示画面が露呈する面が上面２０ｕである。また、情報処理装置２０Ａの表示装置の表示画面の背面側の面（情報処理装置２０Ａの底面）が下面２０ｄであり、被挟持板３２Ａの表面３２Ａａが露呈する面が下側面２０ｆである。
【００３９】
図４において、上側が右側面２０ｒに対応しており、矢印Ａｒが示す方向から右側面２０ｒに設けられた電子ペン格納部３０Ａの開口部３１Ａを通じて、電子ペン１０Ａが電子ペン格納部３０Ａに挿入されて格納される。図４に示すように、情報処理装置２０Ａでは、電子ペン１０Ａの筐体１１Ａとクリップ部１２Ａとによって挟まれる被挟持板３２Ａの表面３２Ａａの、電子ペン１０Ａのクリップ部１２Ａの凸部１２Ａｃｖと対向する位置に接続端子３３Ａａ、３３Ａｂが設けられる。
【００４０】
これにより、情報処理装置２０Ａの電子ペン格納部３０Ａに電子ペン１０Ａが格納されると、被挟持板３２Ａに設けられた接続端子３３Ａａ、３３Ａｂと、クリップ部１２Ａの凸部１２Ａｃｖ上の充電端子１２Ａａ、１２Ａｂとが自動的に接続される。この場合、クリップ部１２Ａに凸部１２Ａｃｖが形成されていることにより、クリップ部１２Ａの凸部１２Ａｃｖ上の充電端子１２Ａａ、１２Ａｂが、被挟持板３２Ａに設けられた接続端子３３Ａａ、３３Ａｂに押し付けられ、電気的に強固に接続できる。
【００４１】
図５は、情報処理装置２０Ａの電子ペン格納部３０Ａに電子ペン１０Ａが格納された状態で、情報処理装置２０Ａの電子ペン格納部３０Ａを含む部分を上面２０ｕ側と下面２０ｄ側とに切断するようにし、上面２０ｕ側の断面を見た場合の図である。したがって、図５の上側の面が下側面２０ｆに対応し、右側の面が右側面２０ｒに対応し、手前側の断面が下側面２０ｆ側の面であり、向こう側の見えない面が上面２０ｕになる。
【００４２】
図５（Ａ）に示すように、電子ペン格納部３０Ａに電子ペン１０Ａが格納されると、電子ペン１０Ａのクリップ部１２Ａと筐体１１Ａとで、被挟持板３２Ａが挟み込まれる。そして、クリップ部１２の裏面１２ｂｋの凸部１２Ａｃｖ上にまで引き延ばされた充電端子１２Ａａ、１２Ａｂと、クリップ部１２Ａの凸部１２Ａｃｖと対向する被挟持板３２Ａの表面３２Ａａの位置に設けられた接続端子３３Ａａ、３３Ａｂとが自動的に接触する。
【００４３】
この場合、電子ペン１０Ａのクリップ部１２Ａの外側への張り出しの長さ、クリップ部１２Ａの裏面１２Ａｂｋと筐体１１Ａとの間の距離、クリップ部１２Ａの凸部１２Ａｃｖの裏面１２Ａｂｋからの高さなどを考慮し、被挟持板３２Ａの厚みを決める。また、情報処理装置２０Ａの下側面２０ｆの被挟持板３２Ａの表面３２Ａａからの張り出しの長さも同様にして決める。これにより、クリップ部１２Ａが、必要以上に下側面２０ｆから突出することがないようにできる。
【００４４】
また、図５（Ｂ）に示すように、被挟持板３２Ａに設けられた接続端子３３Ａａ、３３Ａｂを保護するために、下側面２０ｆを右側面２０ｒ側に延伸するようにして、接続端子３３Ａａ、３３Ａｂを覆う部分２５を設けるようにすることもできる。この覆う部分２５は、右側面２０ｒまで延伸してもよい。この場合、クリップ部１２Ａの表面１２Ａｆｔを押し出すようにして、電子ペン１０Ａを電子ペン格納部３０Ａから取り出すことができなくなる。
【００４５】
この場合には、ノック式のボールペンのように、最初に押し込んだ時には収縮してこれを維持し、再度、押し込んだ場合には伸長して電子ペン１０Ａを押し出すようにする収縮伸長機構を、情報処理装置２０Ａの電子ペン格納部３０Ａのペン先側に設ける。これにより、電子ペン格納部３０Ａに電子ペン１０Ａを挿入し、その全体を押し込むようにした場合には、電子ペン格納部３０Ａ内に電子ペン１０Ａをとどめることができる。そして、再度、電子ペン１０Ａの後端部を押し込むようにした場合には、電子ペン１０Ａが電子ペン格納部３０Ａから押し出されて取り出すことができるようにされる。
【００４６】
なお、被挟持板３２Ａの厚みなどを調整し、接続端子３３Ａａ、３３Ａｂが設けられる被挟持板３２Ａの位置を凹部にするようにしてもよい。この場合には、クリップ部１２Ａの凸部１２Ａｃｖが当該凹部に嵌合し、電子ペン１０Ａを電子ペン格納部３０Ａに格納した状態を安定に維持することができる。この場合、被挟持板３２Ａに設けられる当該凹部の深さを浅くしたり、あるいは、接続端子３３Ａａ、３３Ａｂをクリップ部１２Ａ側に反らせたりする。これにより、接続端子３３Ａａ、３３Ａｂと、クリップ部１２Ａの充電端子１２Ａａ、１２Ａｂとを確実に接続させるようにできる。
【００４７】
［実施の形態の効果］
上述した実施の形態の電子ペン１０、１０Ａによれば、クリップ部１２、１２Ａの裏面１２ｂｋ、１２Ａｂｋに充電端子１２ａ、１２ｂ、１２Ａａ、１２Ａｂが設けられる。これにより、充電端子１２ａ、１２ｂ、１２Ａａ、１２Ａｂが、電子ペン１０のデザインに大きく影響して、電子ペン１０の美的外観を損なわせることがない。また、充電端子１２ａ、１２ｂ、１２Ａａ、１２Ａｂが、使用者の手や指で触れられることもないので、充電端子１２ａ、１２ｂ、１２Ａａ、１２Ａｂに汚れなど付着することが少なく、適切な充電を阻害するなどといった不都合も生じさない。
【００４８】
また、情報処理装置２０、２０Ａの電子ペン格納部３０、３０Ａに電子ペン１０、１０Ａを格納するだけで、電子ペン１０、１０Ａに内蔵された充電式電池の充電を確実に行うようにできる。
【００４９】
［変形例］
なお、電子ペン格納部を設ける位置は、上述した実施の形態のものに限るものではない。電子ペンが収納可能であれば、情報処置装置の種々の位置に設けることができる。すなわち、電子ペンのクリップ部の向きは、情報処理装置の側面側に位置する必要はなく、情報処理装置の内側に向かう方向に位置するようにしてもよい。この場合、電子ペンのクリップ部と筐体とによって挟み込まれる被挟持板を設ける位置を変え、クリップ部の裏面と対向する位置に接続端子を設ければよい。
【００５０】
また、充電端子１２ａ、１２ｂ、１２Ａａ、１２Ａｂは、図１、図３に示した態様に限るものではない。情報処理装置２０、２０Ａ側の接続端子３３ａ、３３ｂ、３３Ａａ、３３Ａｂと接触する部分だけ幅広にし、この幅広部分と充電式電池のプラス端子、マイナス端子との間が、より細い針金形状の導電線により接続するようにしてもよい。
【００５１】
また、クリップ部を含む電子ペンの形状は、種々の形状とすることができる。そして、電子ペンのクリップ部の形状に合わせて、充電端子の形状や設け方などを決めればよい。また、クリップ部を電子ペンの筐体に取り付ける方法も種々の方法を用いることができる。例えば、クリップ部の後端側にリング部を設け、このリンク部を電子ペンの筐体に嵌め込むようにしたり、クリップ部の後端側に円盤状の取り付け部を設け、この円盤状の取り付け部を電子ペンの後端部にねじ止めするようにしたりできる。また、クリップ部の後端側をフック状（鉤状）に形成し、これを電子ペンの後端側側面から電子ペンに引っ掛けるようにして取り付けることも可能である。このように、クリップ部の電子ペンの取り付け方法は種々の方法を用いることができる。
【符号の説明】
【００５２】
１０、１０Ａ…電子ペン、１１、１１Ａ…筐体、１２、１２Ａ…クリップ部、１２ａ、１２ｂ、１２Ａａ、１２Ａｂ…充電端子、１２ｂｋ、１２Ａｂｋ…裏面、１２ｆｔ、１２Ａｆｔ…表面、１２ｃｖ、１２Ａｃｖ…凸部、１３…電子回路部、１４…充電式電池、２０、２０Ａ…情報処理装置、３０、３０Ａ…電子ペン格納部、３１、３１Ａ…開口部、３２、３２Ａ…被挟持板、３２ａ、３２Ａａ…表面、３３ａ、３３ｂ、３３Ａａ、３３Ａｂ…接続端子、３４…凹部、２０ｕ…上面、２０ｄ…下面、２０ｆ…下側面、２０ｒ…右側面、２５…覆う部分
【図１】
2020135687.tif 000003
【図２】
2020135687.tif 000004
【図３】
2020135687.tif 000005
【図４】
2020135687.tif 000006
【図５】
2020135687.tif 000007
【図６】
2020135687.tif 000008